(57)【要約】【課題】手軽に十分な量の水素ガスを体内に吸入できる水素ガス吸入器および水素ガス吸入方法を提供する。【解決手段】水素ガス含有マテリアル１０と、水素ガス含有マテリアル１０を収容するアルミパウチ１２（容器）と、アルミパウチ１２内で水素ガス含有マテリアル１０から発生した水素ガスを体内に吸入するためのマスク１４（吸入具）とを備え；水素ガス含有マテリアル１０が、液状媒体を含む基材に溶存する水素ガスおよび基材内に包含された気泡状態の水素ガスを含み；水素ガス含有マテリアル１０中の気泡状態の水素ガスの含有量が、０．１〜７０体積％［ｖ／ｗ］である、水素ガス吸入器１。【選択図】図１
2020043878.tif 000002
【特許請求の範囲】
【請求項１】
水素ガス含有マテリアルと、
前記水素ガス含有マテリアルを収容する容器と、
前記容器内で前記水素ガス含有マテリアルから発生した水素ガスを体内に吸入するための吸入具と
を備え、
前記水素ガス含有マテリアルが、液状媒体を含む基材に溶存する水素ガスおよび前記基材内に包含された気泡状態の水素ガスを含み、
前記水素ガス含有マテリアル中の前記気泡状態の水素ガスの含有量が、０．１〜７０体積％［ｖ／ｗ］である、水素ガス吸入器。
【請求項２】
前記水素ガス含有マテリアルの前記基材が、ゲル化剤または増粘剤をさらに含む、請求項１に記載の水素ガス吸入器。
【請求項３】
前記ゲル化剤または増粘剤が、ゼラチン、寒天、カラギーナン、ペクチン、グアーガム、タマリンドガム、グルコマンナン、キサンタンガム、プルラン、カルボキシメチルセルロースおよびアルギン酸ナトリウムからなる群から選ばれる少なくとも１種である、請求項２に記載の水素ガス吸入器。
【請求項４】
前記容器が、ガラス容器、またはアルミニウム箔層を有するパウチである、請求項１〜３のいずれか一項に記載の水素ガス吸入器。
【請求項５】
下記水素ガス含有マテリアルから発生した水素ガスを体内に吸入する、水素ガス吸入方法。
水素ガス含有マテリアル：液状媒体を含む基材に溶存する水素ガスおよび前記基材内に包含された気泡状態の水素ガスを含み、かつ前記水素ガス含有マテリアル中の前記気泡状態の水素ガスの含有量が、０．１〜７０体積％［ｖ／ｗ］であるもの。
【請求項６】
前記水素ガス含有マテリアルの前記基材が、ゲル化剤または増粘剤をさらに含む、請求項５に記載の水素ガス吸入方法。
【請求項７】
前記ゲル化剤または増粘剤が、ゼラチン、寒天、カラギーナン、ペクチン、グアーガム、タマリンドガム、グルコマンナン、キサンタンガム、プルラン、カルボキシメチルセルロースおよびアルギン酸ナトリウムからなる群から選ばれる少なくとも１種である、請求項６に記載の水素ガス吸入方法。
【請求項８】
前記水素ガス含有マテリアルから発生した水素ガスを体内に吸入しつつまたは吸入した後、前記水素ガス含有マテリアルを経口摂取する、請求項５〜７のいずれか一項に記載の水素ガス吸入方法。
【発明の詳細な説明】
【技術分野】
【０００１】
本発明は、水素ガス吸入器および水素ガス吸入方法に関する。
【背景技術】
【０００２】
近年、水素ガスについては、活性酸素（ヒドロキシラジカル等）を除去する機能（非特許文献１参照）、生物活性を高める機能等の様々な機能を有することが期待されている。そのため、水素ガスを含む食品、飲料、化粧料等が注目されている。また、水素ガスを吸入し、体内に水素ガスを取り込むことも提案されている。
【０００３】
水素ガス吸入器としては、例えば、下記のものが提案されている。
（１）水の電気分解によって水素ガスを発生する水素ガス発生装置と、水素ガス発生装置で発生した水素ガスを体内に吸入するためのカニューラとを備えた水素ガス吸入器（特許文献１）。
（２）水素水を収容したアルミチアーパックと、アルミチアーパック内で水素水から発生した水素ガスを体内に吸入するためのマスクとを備えた水素ガス吸入器（特許文献２）。
（３）水素発生剤を収容した容器と、容器内で水素発生剤から発生した水素ガスを体内に吸入するためのカニューラまたはマスクとを備えた水素ガス吸入器（特許文献３）。
【先行技術文献】
【特許文献】
【０００４】
【特許文献１】特開２００５−０８７２５７号公報
【特許文献２】特開２００９−０３９４８２号公報
【特許文献３】特開２０１４−０６１２７５号公報
【非特許文献】
【０００５】
【非特許文献１】Ｎａｔｕｒｅ  Ｍｅｄｉｃｉｎｅ，第１３巻，２００７年，ｐ．６８８−６９４
【発明の概要】
【発明が解決しようとする課題】
【０００６】
（１）の水素ガス吸入器は、水素ガス発生装置が重く、電源も必要であるため、持ち運びしにくく、手軽に水素ガスを吸入できない。
（２）の水素ガス吸入器における水素水の水素ガス含有量は、最大でも２０℃の水に対する水素ガスの飽和溶解度の１．６ｐｐｍ（２体積％［ｖ／ｗ］）程度である。そのため、（２）の水素ガス吸入器では、十分な量の水素ガスを吸入できない。
（３）の水素ガス吸入器においては、粉末状の水素発生剤や、水素発生剤から発生する不純物ガスを吸入しないようにするために、容器とカニューラまたはマスクとの間にガス洗浄装置（トラップ）を設ける必要がある。そのため、（３）の水素ガス吸入器は、持ち運びしにくく、手軽に水素ガスを体内に吸入できない。
【０００７】
本発明は、手軽に十分な量の水素ガスを体内に吸入できる水素ガス吸入器および水素ガス吸入方法を提供する。
【課題を解決するための手段】
【０００８】
本発明は、下記の態様を有する。
＜１＞水素ガス含有マテリアルと、前記水素ガス含有マテリアルを収容する容器と、前記容器内で前記水素ガス含有マテリアルから発生した水素ガスを体内に吸入するための吸入具とを備え；前記水素ガス含有マテリアルが、液状媒体を含む基材に溶存する水素ガスおよび前記基材内に包含された気泡状態の水素ガスを含み；前記水素ガス含有マテリアル中の前記気泡状態の水素ガスの含有量が、０．１〜７０体積％［ｖ／ｗ］である、水素ガス吸入器。
＜２＞前記水素ガス含有マテリアルの前記基材が、ゲル化剤または増粘剤をさらに含む、前記＜１＞の水素ガス吸入器。
＜３＞前記ゲル化剤または増粘剤が、ゼラチン、寒天、カラギーナン、ペクチン、グアーガム、タマリンドガム、グルコマンナン、キサンタンガム、プルラン、カルボキシメチルセルロースおよびアルギン酸ナトリウムからなる群から選ばれる少なくとも１種である、前記＜２＞の水素ガス吸入器。
＜４＞前記容器が、ガラス容器、またはアルミニウム箔層を有するパウチである、前記＜１＞〜＜３＞のいずれかの水素ガス吸入器。
＜５＞下記水素ガス含有マテリアルから発生した水素ガスを体内に吸入する、水素ガス吸入方法。
水素ガス含有マテリアル：液状媒体を含む基材に溶存する水素ガスおよび前記基材内に包含された気泡状態の水素ガスを含み、かつ前記水素ガス含有マテリアル中の前記気泡状態の水素ガスの含有量が、０．１〜７０体積％［ｖ／ｗ］であるもの。
＜６＞前記水素ガス含有マテリアルの前記基材が、ゲル化剤または増粘剤をさらに含む、前記＜５＞の水素ガス吸入方法。
＜７＞前記ゲル化剤または増粘剤が、ゼラチン、寒天、カラギーナン、ペクチン、グアーガム、タマリンドガム、グルコマンナン、キサンタンガム、プルラン、カルボキシメチルセルロースおよびアルギン酸ナトリウムからなる群から選ばれる少なくとも１種である、前記＜６＞の水素ガス吸入方法。
＜８＞前記水素ガス含有マテリアルから発生した水素ガスを体内に吸入しつつまたは吸入した後、前記水素ガス含有マテリアルを経口摂取する、前記＜５＞〜＜７＞のいずれかの水素ガス吸入方法。
【発明の効果】
【０００９】
本発明の水素ガス吸入器によれば、手軽に十分な量の水素ガスを体内に吸入できる。
本発明の水素ガス吸入方法によれば、手軽に十分な量の水素ガスを体内に吸入できる。
【図面の簡単な説明】
【００１０】
【図１】本発明の水素ガス吸入器の一例を示す概略構成図である。
【発明を実施するための形態】
【００１１】
以下の用語の定義は、本明細書および特許請求の範囲にわたって適用される。
「ゲル化剤」とは、水素結合等による物理的凝集または共有結合等による架橋によって液状媒体を保持できる網目構造を形成し得る化合物をいう。
「増粘剤」とは、液状媒体に粘性を付与し得る化合物をいう。
「水素ガス含有マテリアル中の気泡状態の水素ガスの含有量（体積％［ｖ／ｗ］）」とは、水素ガス含有マテリアルの所定質量（１００ｇ）に気泡状態で含まれる水素ガスの体積（ｃｍ３）の割合をいう。
「液状組成物」とは、ゲル化剤または増粘剤と液状媒体とを含み、ゲル化または増粘化させる前の組成物をいう。
「ゲル状組成物」とは、ゲル化剤を含む液状組成物をゲル化させた組成物をいう。
「粘性組成物」とは、増粘剤を含む液状組成物を増粘化させた組成物をいう。
「液状媒体に対する水素ガスの飽和溶解度」とは、液状媒体（水等）に対する水素ガスの大気圧下での飽和溶解度をいう。なお、飽和溶解度を規定する「ガスの溶解」は、ヘンリーの法則が成立し、ガスが圧力に応じて分子状で溶解している状態である。
【００１２】
水素ガス含有マテリアル中の気泡状態の水素ガスの含有量は、次のように求める。大気圧、２５℃の条件下で水素ガス含有マテリアルの０．５〜１ｇをＧＣ分析で用いるヘッドスペースＧＣ分析用サンプル瓶（容量：２０ｍＬ）に精秤して入れ、水の１０ｍＬを加えて密閉する。サンプル瓶を手でよく振った後、超音波洗浄機で十分に混合する。サンプル瓶を７０℃に加熱し、水素ガス含有マテリアルから気泡が消えるまで７０℃で加熱を続ける。気泡が消えた後、サンプル瓶内の気相ガスを採取して、ガスクロマトグラフ（ＧＣ）分析（ＴＣＤ検出器）によって水素ガスを定量し、水素ガス含有マテリアル中の気泡状態の水素ガスの含有量（体積％［ｖ／ｗ％］）を算出する。水に対する水素ガスの飽和溶解度は、２０℃で１．６ｐｐｍ（２体積％［ｖ／ｗ］）、７０℃で１．５ｐｐｍ（１．８体積％［ｖ／ｗ］）であってほとんど変わらない、すなわち水素ガス含有マテリアルの基材（ほぼ水）中の溶存水素ガスの量は測定前後でほとんど変わらないから、前記方法によって求めた水素ガスの含有量は、基材内に包含された気泡状態の水素ガスの含有量と見なすことができる。
本明細書および特許請求の範囲において数値範囲を示す「〜」は、その前後に記載された数値を下限値および上限値として含むことを意味する。
【００１３】
＜水素ガス吸入器＞
本発明の水素ガス吸入器は、水素ガス含有マテリアルと、水素ガス含有マテリアルを収容する容器と、容器内で水素ガス含有マテリアルから発生した水素ガスを体内に吸入するための吸入具とを備える。
【００１４】
＜水素ガス含有マテリアル＞
水素ガス含有マテリアルは、液状媒体を含む基材に溶存する水素ガスおよび基材内に包含された気泡状態の水素ガスを含む。
すなわち、水素ガス含有マテリアルは、液状媒体に対する水素ガスの飽和溶解度（液状媒体が水の場合は２０℃で１．６ｐｐｍ（２体積％［ｖ／ｗ］））に相当する溶存水素ガスと、基材の液状媒体に溶解しきれなかった余剰の水素ガスである気泡状態の水素ガスを含んでいる。
【００１５】
（気泡状態の水素ガス）
水素ガス含有マテリアル中の気泡状態の水素ガスの含有量は、０．１〜７０体積％［ｖ／ｗ］であり、２〜６０体積％［ｖ／ｗ］が好ましく、６〜５０体積％［ｖ／ｗ］がより好ましい。水素ガス含有マテリアル中の気泡状態の水素ガスの含有量が前記範囲の下限値以上であれば、基材中の溶存水素ガスの量と合計した水素ガス含有マテリアル中の全水素ガスの含有量が、溶存水素ガスのみである従来の水素ガス吸入器における水素水に比べ多くなり、十分な量の水素ガスを供給できる。水素ガス含有マテリアル中の気泡状態の水素ガスの含有量が前記範囲の上限値までは、基材内への水素ガスの気泡分散が可能である。
【００１６】
水素ガス含有マテリアル中の気泡状態の水素ガスの含有量は、後述する製造方法において、ゲル化剤または増粘剤の量、液状組成物に気泡状態の水素ガスを包含させる際の水素ガスの供給量ならびに液状組成物の撹拌条件（回転数、時間等）等を調整することによって調製できる。
【００１７】
（基材）
基材は、水素ガス含有マテリアルにおいて水素ガスを溶存するとともに気泡状態の水素ガスを包含するためのベースとなるものであり、液状媒体を必須成分として含む。
基材は、気泡状態の水素ガスを長時間包含でき、かつ水素ガス含有マテリアルからの水素ガスの放出速度を制御できる点から、ゲル化剤または増粘剤をさらに含むことが好ましい。
基材としては、多量の気泡状態の水素ガスを長時間包含できる点から、ゲル状組成物または粘性組成物からなるものが好ましい。
基材は、必要に応じて、液状媒体およびゲル化剤または増粘剤以外の他の成分をさらに含んでいてもよい。
【００１８】
（液状媒体）
液状媒体は、他の成分を溶解または分散させるための媒体となるものである。
液状媒体としては、ゲル化剤または増粘剤を溶解する点から、ゲル化剤または増粘剤を溶解可能な水および炭素数が１〜５の低級アルコール、グリコールから選ばれる少なくとも１種の液状媒体が好ましい。水としては、精製水等が挙げられる。低級アルコールとしては、エチルアルコール、イソプロピルアルコール等が挙げられる。グリコールとしては、エチレングリコール、ジエチレングリコール、プロピレングリコール、ジプロピレングリコール、１，３−ブタンジオール、１，４−ブタンジオール等が挙げられる。
【００１９】
液状媒体としては、水を含む水性媒体が好ましい。水性媒体は、低級アルコールをさらに含んでいてもよい。水性媒体中の水の割合は、水性媒体（１００質量％）のうち、５０質量％以上が好ましく、７０質量％以上がより好ましく、１００質量％が特に好ましい。
【００２０】
（ゲル化剤、増粘剤）
ゲル化剤としては、例えば、天然物由来の蛋白類または多糖類、水素結合性基を有するポリマー、凝集性の疎水性基を有するポリマー、架橋性官能基を有するポリマー、多官能モノマー、単官能モノマー、シリコーン系ポリマー、カルボキシビニルポリマーまたはその誘導体等が挙げられる。
天然物由来の蛋白類または多糖類としては、例えば、ゼラチン、寒天、カラギーナン、ペクチン、グルコマンナン、プルラン、アルギン酸ナトリウム、アウレオバシジウム培養液、スクシノグリカン、アマシードガム、アラビアガム、アラビノガラクタン、ウェランガム、カシアガム、ガティガム、カードラン、カラヤガム、カロブビーンガム、キサンタンガム、キトサン、グァーガム、グァーガム酵素分解物、酵母細胞壁、サイリウムシードガム、サバクヨモギシードガム、ジェランガム、タマリンドシードガム、タラガム、デキストラン、トラガントガム、トロロアオイ、微小繊維状セルロース、ファーセレラン、フクロノリ抽出物、マクロホモプシスガム、ラムザンガム、レバン、オクラ抽出物、海藻セルロース、褐藻抽出物、コンニャクイモ抽出物、サツマイモセルロース、ダイズ多糖類、ナタデココ等が挙げられる。
ゲル化剤は、１種を単独で用いてもよく、２種以上を併用してもよい。
【００２１】
増粘剤としては、水溶性高分子等が挙げられる。水溶性高分子としては、有機系水溶性高分子、無機系水溶性高分子が挙げられる。
有機系水溶性高分子としては、天然高分子（キサンタンガム、マンナン、ペクチン等）、セルロース系半合成高分子（カルボキシメチルセルロース、カルボキシメチルセルロースナトリウム等）、ビニル系合成高分子（カルボキシビニルポリマー、カルボキシビニルポリマー誘導体、ポリビニルアルコール、ポリビニルアルコール誘導体、ポリビニルピロリドンおよびポリビニルピロリドン誘導体等）等が挙げられる。
無機系水溶性高分子としては、粘土鉱物の一種であるペントナイト等が挙げられる。
増粘剤は、１種を単独で用いてもよく、２種以上を併用してもよい。
【００２２】
ゲル化剤または増粘剤としては、水素ガス含有マテリアルを経口摂取できる点から、ゼラチン、寒天、カラギーナン、ペクチン、グアーガム、タマリンドガム、グルコマンナン、キサンタンガム、プルラン、カルボキシメチルセルロースおよびアルギン酸ナトリウムからなる群から選ばれる少なくとも１種が好ましい。
【００２３】
（他の成分）
他の成分としては、食品添加物、アミノ酸、アミノ酸誘導体、核酸類、脂質類、油脂、界面活性剤等が挙げられる。
食品添加物としては、甘味料、着色料、保存料、増粘安定剤（ただし、ゲル化剤および増粘剤を除く。）、酸化防止剤、発色剤、漂白剤、防かび剤、イーストフード、ガムベース、かんすい、苦味料、酵素、光沢剤、香料、酸味料、軟化剤、調味料、豆腐用凝固剤、乳化剤、水素イオン濃度調整剤（ｐＨ調整剤）、膨脹剤、栄養強化剤、その他の食品添加物が挙げられる。
【００２４】
（各成分の割合）
液状媒体の割合は、液状媒体以外の成分の割合を除いた残部となる。
【００２５】
ゲル化剤の割合は、基材（１００質量％）のうち、３〜４５質量％が好ましく、５〜３５質量％がより好ましい。ゲル化剤の割合が前記範囲の下限値以上であれば、液状組成物が十分にゲル化され、基材中に気泡状態の水素ガスを多量に、かつ長時間にわたり保持しやすい。ゲル化剤の割合が前記範囲の上限値以下であれば、液状組成物の流動性が保たれるために、液状組成物に気泡状態の水素ガスを多量に、かつ長時間封じ込めることができる。
【００２６】
増粘剤の割合は、組成物（１００質量％）のうち、０．０１〜１０質量％が好ましく、０．０２〜５質量％がより好ましい。増粘剤の割合が前記範囲の下限値以上であれば、増粘効果が十分に発揮され、基材中に気泡状態の水素ガスを多量に、かつ長時間にわたり保持しやすい。増粘剤の割合が前記範囲の上限値以下であれば、液状組成物の流動性が保たれるために、液状組成物に気泡状態の水素ガスを多量に、かつ長時間封じ込めることができる。
【００２７】
他の成分の割合は、水素ガス含有マテリアルに要求される特性、機能等に応じて公知の配合割合の範囲内で適宜選択すればよい。
【００２８】
＜水素ガス含有マテリアルの製造方法＞
水素ガス含有マテリアルは、例えば、下記の工程（Ｉ）〜工程（ＩＩＩ）を有する方法で製造できる。
工程（Ｉ）：ゲル化剤または増粘剤と液状媒体とを含む液状組成物を調製する工程。
工程（ＩＩ）：工程（Ｉ）の後、液状組成物に気泡状態の水素ガスを包含させる工程。
工程（ＩＩＩ）：工程（ＩＩ）の後、気泡状態の水素ガスを包含する液状組成物をゲル化または増粘化させて水素ガス含有マテリアルを得る工程。
【００２９】
（工程（Ｉ））
液状組成物は、例えば、溶解槽にゲル化剤または増粘剤と液状媒体とを仕込み、撹拌によってゲル化剤または増粘剤を液状媒体に溶解させることによって調製できる。液状組成物には、ゲル化剤または増粘剤および液状媒体以外の他の成分をさらに添加してもよい。
【００３０】
液状組成物の調製に用いられる装置としては、撹拌機付きの槽または釜が挙げられる。装置の材料は、本発明の効果を損なわない範囲内で、ゲル化剤、増粘剤、液状媒体、水素ガス等に対する耐食性；使用温度における耐熱性；液状組成物への溶出等を考慮して選択できる。装置の材料としては、ステンレス鋼材、ガラスライニング、フッ素樹脂ライニング、プラスチック等が挙げられる。また、引火性の水素ガスを使用するため、引火または爆発を防止できる安全対策を講じた装置対応も考慮する必要がある。
【００３１】
（工程（ＩＩ））
液状組成物に水素ガスを供給することによって、気泡状態の水素ガスを包含した液状組成物を得る。気泡状態の水素ガスを包含した液状組成物にはゲル化剤または増粘剤および液状媒体以外の他の成分をさらに添加してもよい。
【００３２】
水素ガス供給時の液状組成物の粘度は、１００〜１０，０００ｍＰａ・ｓが好ましい。液状組成物の粘度が前記範囲の下限値未満では、液状組成物中に水素ガスを気泡として分散しやすいが、水素ガスが浮上しやすく液状組成物中に留まりにくい。液状組成物の粘度が前記範囲の上限値を超えると、液状組成物中に水素ガスを気泡として分散しにくく、水素ガスの均一分散が困難となる。
水素ガス供給時の液状組成物の温度については、前記した液状組成物の粘度範囲が達成できる温度であればよく、適宜設定すればよい。
【００３３】
水素ガスの供給量は、液状組成物中に溶解した水素ガスと気泡状態の水素ガスとの合計量が、液状媒体（水等）に対する水素ガスの飽和溶解度を超える量となる量であり、最終的に得られる水素ガス含有マテリアル中の気泡状態の水素ガスの含有量が、０．１〜７０体積％［ｖ／ｗ］となる量である。
【００３４】
ゲル化剤または増粘剤および液状媒体の仕込量、水素ガスの供給量は、所望する水素ガス含有マテリアル中の気泡状態の水素ガスの含有量に応じて適宜設定すればよい。また、液状組成物の温度および粘度についても、ゲル化剤または増粘剤および液状媒体の種類、所望する水素ガス含有マテリアル中の気泡状態の水素ガスの含有量に応じて適宜設定すればよい。
【００３５】
工程（ＩＩ）に用いられる装置としては、液状組成物に水素ガスを所望する気泡として均一に分散できる装置であれば、公知の気液分散操作に用いられる装置、設備を用いることができる。装置の材料は、本発明の効果を損なわない範囲内で、ゲル化剤、増粘剤、液状媒体、水素ガス等に対する耐食性；使用温度における耐熱性；液状組成物への溶出等を考慮して選択できる。
【００３６】
工程（ＩＩ）においては、液状組成物を撹拌した状態で、液状組成物に水素ガスを供給する；または、液状組成物を撹拌せずに、液状組成物に水素ガスを供給した後、振とうすることが好ましい。
撹拌方法としては、撹拌機を用いる方法、ホモミキサーを用いる方法、ラインミキサーを用いる方法等が挙げられる。
振とう方法としては、振とう機を用いる方法等が挙げられる。
【００３７】
（工程（ＩＩＩ））
気泡状態の水素ガスを包含する液状組成物を必要に応じて容器に入れ、ゲル化または増粘化させて水素ガス含有マテリアルを得る。
液状組成物に包含された気泡状態の水素ガスの揮散ロスを極力低減するために、液状組成物のゲル化または増粘化はできる限り速やかに行うことが好ましい。
【００３８】
液状組成物がゲル化剤を含む場合は、液状組成物をゲル化することによってゲル状組成物からなる基材が形成される。
ゲル化方法は、ゲル化剤の種類に応じた方法を適宜選択すればよい。
ゲル化方法としては、ゲル化剤が天然物由来の蛋白類または多糖類のようにゲル化温度を有する場合は、ゲル化剤のゲル化温度以下に液状組成物を冷却することによって液状組成物をゲル化する方法が挙げられる。
ゲル化方法としては、ゲル化剤が架橋性官能基を有するポリマーのように架橋性基を有する場合は、ゲル化剤の架橋反応によって液状組成物をゲル化する方法が挙げられる。
【００３９】
増粘方法は、増粘剤の種類に応じた方法を適宜選択すればよい。
増粘方法としては、増粘剤が天然高分子のようにゲル化温度を有する場合は、増粘剤のゲル化温度以下に液状組成物を冷却することによって液状組成物を増粘する方法が挙げられる。
増粘方法としては、増粘剤がカルボキシビニルポリマーおよびその誘導体、ポリビニルアルコール、ポリビニルピロリドンおよびこれらの誘導体からなる群から選ばれる１種以上である場合は、増粘剤を中和剤によって中和することによって液状組成物を増粘する方法が挙げられる。
中和剤としては、水酸化ナトリウム、水酸化カリウム、アンモニア、アミン類（トリエタノールアミン、トリエチルアミン、ジイソプロパノールアミン、ジ（２−エチルヘキシル）アミン等）等が挙げられる。中和剤としては、水酸化ナトリウムまたは水酸化カリウムが好ましい。
【００４０】
＜容器＞
容器としては、容器内に水素ガスを長時間保持する点から、容器内の水素ガスを吸入具に供給するための開口以外は密封された容器が好ましい。
容器としては、水素ガスの透過ロスを抑制する点から、水素ガスを透過しにくい材料からなるものが好ましい。水素ガスを透過しにくい材料からなる容器としては、例えば、ガラス容器、金属容器、プラスチック容器、アルミニウム箔層を有するパウチ（アルミパウチ）等が挙げられる。容器としては、容器内に水素ガスを長時間保持でき、かつ持ち運びしやすい点から、ガラス容器、またはアルミパウチが好ましく、アルミパウチがより好ましい。
【００４１】
＜吸入具＞
吸入具としては、水素ガスを体内に吸入できるものであればよく、医療用の各種吸入具（チューブ、カニューラ、マスク、これらを組み合わせたもの等）が挙げられる。
【００４２】
＜水素ガス吸入器の具体例＞
図１は、本発明の水素ガス吸入器の一例を示す概略構成図である。
水素ガス吸入器１は、水素ガス含有マテリアル１０と；水素ガス含有マテリアル１０を収容するアルミパウチ１２（容器）と；アルミパウチ１２内で水素ガス含有マテリアル１０から発生した水素ガスを利用者２０の体内に吸入するためのマスク１４（吸入具）と；一端がアルミパウチ１２の開口部１２ａに接続され、他端がマスク１４に接続されたチューブ１６とを備える。
【００４３】
なお、本発明の水素ガス吸入器は、液状媒体を含む基材に溶存する水素ガスおよび基材内に包含された気泡状態の水素ガスを含み、かつ気泡状態の水素ガスの含有量が０．１〜７０体積％［ｖ／ｗ］である水素ガス含有マテリアルと；水素ガス含有マテリアルを収容する容器と；容器内で水素ガス含有マテリアルから発生した水素ガスを体内に吸入するための吸入具とを備えたものであればよく、図示例のものに限定はされない。
【００４４】
＜作用機序＞
以上説明した本発明の水素ガス吸入器にあっては、液状媒体を含む基材に溶存する水素ガスおよび基材内に包含された気泡状態の水素ガスを含み、かつ気泡状態の水素ガスの含有量が０．１〜７０体積％［ｖ／ｗ］である水素ガス含有マテリアルを備えているため、水素ガス含有マテリアルの基材中には、液状媒体（水等）に対する水素ガスの飽和溶解度と等しい量の水素ガスが溶解していることになる。すなわち、基材中に溶解した水素ガスと気泡状態の水素ガスとの合計量は、液状媒体に対する水素ガスの飽和溶解度（従来の水素ガス吸入器における水素水に含まれる水素ガスの量）を超える量となる。このように水素ガスを多く含む水素ガス含有マテリアルを備えた水素ガス吸入器によれば、従来の水素水を用いた水素ガス吸入器に比べ十分な量の水素ガスを体内に吸入でき、水素ガスが有する様々な機能（活性酸素を除去する機能、生物活性を高める機能等）を体内で十分に発現できる。
【００４５】
また、以上説明した本発明の水素ガス吸入器にあっては、水素ガス供給源として水素ガス含有マテリアルを備えているため、水素ガス発生装置やガス洗浄装置（トラップ）を設ける必要がない。よって、本発明の水素ガス吸入器は、持ち運びしやすく、手軽に水素ガスを体内に吸入できる。
【００４６】
＜水素ガス吸入方法＞
本発明の水素ガス吸入方法は、液状媒体を含む基材に溶存する水素ガスおよび基材内に包含された気泡状態の水素ガスを含み、かつ水素ガス含有マテリアル中の気泡状態の水素ガスの含有量が、０．１〜７０体積％［ｖ／ｗ］である水素ガス含有マテリアルから発生した水素ガスを体内に吸入する方法である。
水素ガス含有マテリアルとしては、本発明の水素ガス吸入器における水素ガス含有マテリアルと同様のものが挙げられ、好ましい形態も同様である。
【００４７】
本発明の水素ガス吸入方法においては、本発明の水素ガス吸入器を用いることが好ましい。
以下、図１に示す水素ガス吸入器１を用いた水素ガス吸入方法について説明する。
【００４８】
＜水素ガス吸入方法の具体例＞
水素ガス含有マテリアル１０を収容したアルミパウチ１２（容器）を用意する。このとき、アルミパウチ１２の開口部１２ａは、キャップ（図示略）によって密封されている。また、別途保管されていた、チューブ１６付きのマスク１４（吸入具）を用意する。
アルミパウチ１２の開口部１２ａからキャップを取り外し、ただちにチューブ１６の一端をアルミパウチ１２の開口部１２ａに接続する。
マスク１４を利用者２０の鼻と口を覆うように利用者２０の顔面に取り付け、アルミパウチ１２内で水素ガス含有マテリアル１０から発生した水素ガスを利用者２０に吸入させる。
【００４９】
水素ガス含有マテリアル１０における基材が、ゲル融解温度を有するゲル状組成物からなるものである場合、水素ガス含有マテリアル１０をゲル融解温度以上に加熱することによって、水素ガス含有マテリアル１０から水素ガスを効率よく発生させることができる。
水素ガス含有マテリアル１０をゲル融解温度以上に加熱する方法としては、水素ガス含有マテリアル１０を収容したアルミパウチ１２をゲル融解温度以上の雰囲気下にしばらく放置する方法；水素ガス含有マテリアル１０を収容したアルミパウチ１２を手で温める方法；水素ガス含有マテリアル１０を収容したアルミパウチ１２をヒータ、カイロ、加熱機能付容器等で加熱する方法等が挙げられる。
【００５０】
水素ガス含有マテリアル１０から発生した水素ガスを体内に吸入しつつまたは吸入した後、水素ガス含有マテリアル１０を経口摂取してもよい。例えば、利用者２０の顔面からマスク１４を取り外し、アルミパウチ１２の開口部１２ａからチューブ１６を取り外した後、アルミパウチ１２の開口部１２ａを口でくわえ、アルミパウチ１２内の水素ガス含有マテリアル１０を口から体内に吸い込む。
【実施例】
【００５１】
以下、本発明を実施例により具体的に説明するが、本発明はこれらに限定されるものではない。
【００５２】
＜測定＞
実施例における物性の測定方法を以下に示す。
【００５３】
（水素ガス含有マテリアル中の気泡状態の水素ガスの含有量）
大気圧、２５℃の条件下で水素ガス含有マテリアルの０．５〜１ｇをＧＣ分析で用いるヘッドスペースＧＣ分析用サンプル瓶（容量：２０ｍＬ）に精秤して入れ、水を１０ｍＬ加えて密閉した。サンプル瓶を手でよく振った後、超音波洗浄機で十分に混合した。サンプル瓶を７０℃に加熱し、水素ガス含有マテリアルから気泡が消えるまで７０℃で加熱を続けた。気泡が消えた後、サンプル瓶内の気相ガスを採取して、ＧＣ分析（ＴＣＤ検出器）によって水素ガスを定量し、水素ガス含有マテリアル中の気泡状態の水素ガスの含有量（体積％［ｖ／ｗ％］）を算出した。
【００５４】
（水素水中の溶存状態の水素ガスの含有量）
水素水中の溶存状態の水素ガスの含有量は、水素水が収容されたアルミパウチから水素水を直接採取して、ＧＣ分析（ＴＣＤ検出器）によって水素水中の水素ガスを定量し、水素水中の溶存状態の水素ガスの含有量（体積％［ｖ／ｗ％］）を算出した。
【００５５】
＜実施例１＞
溶解槽にゼラチンの７ｋｇおよび水の１３ｋｇを入れ、４０℃に加温してゼラチン水溶液を調製した。ゼラチン水溶液を撹拌しながら、ゼラチン水溶液に水素ガスを通気し、気泡状態の水素ガスを包含する高粘度のゼラチン水溶液を得た。ゼラチン水溶液をアルミパウチに充填し、直ちに５℃水中に浸漬して冷却凝固させて、水素ガス含有マテリアルが収容されたアルミパウチを得た。水素ガス含有マテリアルは、基材中に溶解した水素ガスおよび気泡状態の水素ガスを含んでいた。水素ガス含有マテリアル中の気泡状態の水素ガスの含有量は、４０．０体積％［ｖ／ｗ］であった。
アルミパウチから水素ガス含有マテリアルを取り出し、３７℃の雰囲気下で１時間放置した。水素ガス含有マテリアル中の気泡状態の水素ガスの含有量は、３．１体積％［ｖ／ｗ］となり、１時間で３６．９体積％［ｖ／ｗ］の水素ガスが放出されることが分かった。
【００５６】
＜比較例１＞
溶解槽に水を０．５ｋｇ入れた。水を撹拌しながら、水に水素ガスを通気し、水素水を得た。水素水をアルミパウチに充填し、水素水が収容されたアルミパウチを得た。水素水中の水素ガスの含有量は、１．２４体積％［ｖ／ｗ］であった。
アルミパウチから水素水を取り出し、２５℃の雰囲気下で１時間放置した。水素水中の水素ガスの含有量は、０．５３体積％［ｖ／ｗ］となり、１時間で０．７１体積％［ｖ／ｗ］の水素ガスが放出されることが分かった。
【産業上の利用可能性】
【００５７】
本発明の水素ガス吸入器は、体内に水素ガスを多く吸入させて、水素ガスが有する様々な機能を十分に発現させることができる。
【符号の説明】
【００５８】
１  水素ガス吸入器、
１０  水素ガス含有マテリアル、
１２  アルミパウチ、
１２ａ  開口部、
１４  マスク、
１６  チューブ、
２０  利用者。
【図１】
2020043878.tif 000003